【事件の表示】
　商願２００７−７５５１拒絶査定不服審判事件について、次のとおり審決する。
【結　論】
　本件審判の請求は、成り立たない。
【理　由】
１　本願商標 
　本願商標は、別掲１のとおりの構成よりなり、第９類に属する願書記載のとおりの商品を指定商品として、平成１９年１月３１日に登録出願されたものであるが、その後、指定商品については、平成１９年１１月２１日付け手続補正書により「ＰＯＳシステム用商品登録装置，その他のＰＯＳシステム用端末装置」と補正されたものである。 
　 
２　引用商標 
　原査定において、本願商標が商標法第４条第１項第１１号に該当するものであるとして、その拒絶の理由に引用した登録商標は、以下の１４件である。 
（１）登録第１４３２４５８号商標（以下「引用商標１」という。）は、「ＷＩＴＨ」の欧文字を横書きしてなり、昭和５２年６月２５日に登録出願され、第１１類「電気機械器具、電気通信機械器具、電子応用機械器具（医療機械器具に属するものを除く）電気材料」を指定商品として、同５５年８月２８日に設定登録され、その後、２回にわたり商標権存続期間の更新登録がされた後、商標法第５０条に基づく商標権の一部取消審判により、指定商品中「電気機械器具，電気通信機械器具」については、登録を取り消す旨の審決がなされ、平成１７年４月２２日に確定登録され、現に有効に存続しているものである。 
（２）登録第１８７２１８５号商標（以下「引用商標２」という。）は、「ｗｉｔｈ」の欧文字を横書きしてなり、昭和５９年６月１４日に登録出願され、第２６類「雑誌」を指定商品として、同６１年６月２７日に設定登録され、その後、２回にわたり商標権存続期間の更新登録がされた後、指定商品については、平成１８年４月１２日に第１６類「雑誌」とする書換登録がなされ、現に有効に存続しているものである。 
（３）登録第２０６４８７５号商標（以下「引用商標３」という。）は、「ウイズ」の片仮名文字を横書きしてなり、昭和６０年９月１９日に登録出願され、第１１類「電気機械器具、電気通信機械器具、電子応用機械器具（医療機械器具に属するものを除く）電気材料」を指定商品として、同６３年７月２２日に設定登録され、平成１０年３月１０日に商標権存続期間の更新登録がされた後、商標法第５０条に基づく商標権の一部取消審判により、指定商品中「電気機械器具，電気通信機械器具」については、登録を取り消す旨の審決がなされ、平成１７年４月１３日に確定登録された後、２度目の商標権存続期間の更新登録がされ、現に有効に存続しているものである。
（４）登録第２１２４８１０号の１商標（以下「引用商標４」という。）は、「ＷＩＴＨ」の欧文字を横書きしてなり、昭和６２年４月１５日に登録出願され、第９類に属する商標登録原簿に記載のとおりの商品を指定商品として、平成１年３月２７日に設定登録され、商標権存続期間の更新登録がなされた後、同１２年１１月２２日に分割移転の登録により、第９類「産業機械器具、動力機械器具（電動機を除く）風水力機械器具、事務用機械器具（電子応用機械器具に属するものを除く）その他の機械器具で他の類に属しないもの、これらの部品及び附属品（他の類に属するものを除く）機械要素但し、業務用害虫駆除器その他の業務用薬剤散布装置（農業用のものを除く）その他の消毒・殺虫・防臭散布機（農業用のものを除く）を除く」を指定商品として、現に有効に存続しているものである。
（５）登録第２３８１５４０号商標（以下「引用商標５」という。）は、「ＷＨＩＺ」の欧文字を横書きしてなり、昭和６３年１０月２６日に登録出願され、第１１類に属する商標登録原簿に記載のとおりの商品を指定商品として、平成４年２月２８日に設定登録され、同１４年２月２６日に商標権の存続期間の更新登録がされた後、同１５年６月１１日に指定商品を第７類「起動器，交流電動機及び直流電動機（陸上の乗物用の交流電動機及び直流電動機（その部品を除く。）を除く。），交流発電機，直流発電機，家庭用食器洗浄機，家庭用電気式ワックス磨き機，家庭用電気洗濯機，家庭用電気掃除機，電気ミキサー，電機ブラシ」 、第８類「電気かみそり及び電気バリカン」、第９類「配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極 」、第１０類「家庭用電気マッサージ器」、第１１類「電球類及び照明用器具，家庭用電熱用品類」、第１２類「陸上の乗物用の交流電動機又は直流電動機（その部品を除く。）」、第１７類「電気絶縁材料」及び第２１類「電気式歯ブラシ」に書換登録されたものであるが、その後、商標法第５０条に基づく商標権の一部取消審判により、指定商品中「電池，電気通信機械器具」については、登録を取り消す旨の審決がなされ、同１７年４月１１日に確定登録され、現に有効に存続しているものである。 
（６）登録第３１５２８６１号商標（以下「引用商標６」という。）は、「ＷＩＴＨ」の欧文字を横書きしてなり、平成４年１１月１８日に登録出願され、第９類「理化学機械器具，測定機械器具，写真機械器具，映画機械器具，光学機械器具，レコ―ド，計算尺，家庭用テレビゲ―ムおもちゃ，メトロノ―ム 」を指定商品として、同８年５月３１日に設定登録された後、商標権の存続期間の更新登録がされ、現に有効に存続しているものである。 
（７）登録第３３５６６３１号商標（以下「引用商標７」という。）は、「ＷＩＴＨ」の欧文字を横書きしてなり、平成５年３月１６日に登録出願され、第９類に属する商標登録原簿に記載のとおりの商品を指定商品として、同９年１１月７日に設定登録され、その後、商標法第５０条に基づく商標権の一部取消審判により、指定商品中「電池，電気通信機械器具，録画済みビデオディスク及びビデオテープ」については、登録を取り消す旨の審決がなされ、同１７年４月２２日に確定登録された後、同１９年１１月７日に商標権の存続期間の満了により消滅し、その抹消の登録が同２０年７月１６日にされているものである。 
（８）登録第３３５６６３２号商標（以下「引用商標８」という。）は、「ＷＩＺ」の欧文字を横書きしてなり、平成５年３月１６日に登録出願され、第９類「電池，電気通信機械器具，電子応用機械器具及びその部品，電気アイロン，電気式ヘアカーラー，電気掃除機，電気ブザー，録画済みビデオディスク及びビデオテープ」を指定商品として、同９年１１月７日に設定登録され、その後、商標法第５０条に基づく商標権の一部取消審判により、指定商品中「電池，電気通信機械器具」については、登録を取り消す旨の審決がなされ、同１６年１１月１０日に確定登録された後、同１９年７月３１日に商標権の存続期間の更新登録がされ、現に有効に存続しているものである。（９）登録第４０１２０２０号商標（以下「引用商標９」という。）は、別掲２に示すとおり、「Ｗｉｔｈ」の欧文字の下に、小さく「ＦＯＯＤＳ　ＳＴＯＲＥ」の欧文字を書し、その上部に花とおぼしき図形を表してなり、平成７年２月１７日に登録出願され、第１６類「紙類，紙製包装用容器，家庭用食品包装フィルム，紙製ごみ収集用袋，プラスチック製ごみ収集用袋，紙製テーブルクロス，紙製ブラインド，写真，写真立て，昆虫採集用具」を指定商品として、同９年６月１３日に設定登録された後、商標権の存続期間の更新登録がされ、現に有効に存続しているものである。 
（１０）登録第４１８９３４８号商標（以下「引用商標１０」という。）は、「ＷＩＳ」の欧文字を横書きしてなり、平成８年６月２６日に登録出願され、第９類に属する商標登録原簿に記載のとおりの商品を指定商品として、同１０年９月１８日に設定登録されたものである。
　なお、存続期間の満了日である同２０年９月１８日を経過しているが、抹消の登録はなされていない。 
（１１）登録第４２０４２７３号商標（以下「引用商標１１」という。）は、「ウイズ」の片仮名文字と「ＷＩＴＨ」の欧文字を二段に横書きしてなり、平成９年１月１７日に登録出願され、第９類に属する商標登録原簿に記載のとおりの商品を指定商品として、同１０年１０月２３日に設定登録された後、商標法第５０条に基づく商標権の一部取消審判により、指定商品中「スロットマシン及びその類似商品」については、登録を取り消す旨の審決がなされ、平成１４年６月２６日に確定登録されたものである。
　なお、存続期間の満了日である同２０年１０月２３日を経過しているが、抹消の登録はなされていない。
（１２）登録第４２２０４８６号商標（以下「引用商標１２」という。）は、「ウイズ」の片仮名文字と「ＷＩＴＨ」の欧文字を二段に横書きしてなり、平成９年２月６日に登録出願され、第９類に属する商標登録原簿に記載のとおりの商品を指定商品として、同１０年１２月１１日に設定登録された後、商標法第５０条に基づく商標権の一部取消審判により、指定商品中「スロットマシン及びその類似商品」については、登録を取り消す旨の審決がなされ、平成１４年６月２６日に確定登録されたものである。
　なお、存続期間の満了日である同２０年１２月１１日を経過しているが、抹消の登録はなされていない。
（１３）登録第４３３５１２３号商標（以下「引用商標１３」という。）は、別掲３のとおりの構成よりなり、平成１０年１１月１７日に登録出願され、第１６類「紙類，紙製包装用容器，紙製テーブルクロス，紙製ブラインド，印刷物，書画，写真，写真立て，遊戯用カード，文房具類，事務用又は家庭用ののり及び接着剤，青写真複写機，あて名印刷機，印字用インクリボン，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，印刷用インテル，活字，装飾塗工用ブラシ，封ろう，マーキング用孔開型板」を指定商品として、同１１年１１月１２日に設定登録された後、商標法第５０条に基づく商標権の一部取消審判により、指定商品中「印刷物，写真，写真立て，遊戯用カード」については、登録を取り消す旨の審決がなされ、平成１６年２月２日に確定登録され、現に有効に存続しているものである。 
（１４）登録第４８８４３７２号商標（以下「引用商標１４」という。）は
、別掲４のとおりの構成よりなり、平成１５年２月１８日に登録出願され、第９類「電池，電気通信機械器具」を指定商品として、同１７年７月２９日に設定登録され、現に有効に存続しているものである。
　 
３　当審の判断 
（１）引用商標１、引用商標３、引用商標５及び引用商標８との類否について 
　本願商標は、別掲１のとおり「ウィズ」の文字及び「ｗｉｚ」の文字よりなるものであるから、各構成文字より「ウィズ」の称呼を生ずるものと認められる。 
　また、本願商標を構成する「ｗｉｚ」の文字は、「魔法使い」等の意味を有する英語ではあるが、該文字が前記意味を有する語として我が国において親しまれているものとは認められないものであるから、一種の造語と理解され、特定の観念を生じないものというのが相当である。 
　他方、引用商標１は、「ＷＩＴＨ」の文字よりなるものであるから、「ウィズ」の称呼を生じ、該文字は、「〜と共に」等を意味する英語として我が国において一般に広く知られている語であるから、「〜と共に」の観念が生ずるものである。
　引用商標５は、「ＷＨＩＺ」の文字よりなるものであり、引用商標８は、「ＷＩＺ」の文字よりなるものであるから、ともに「ウィズ」の称呼を生じ、特定の観念を生じないものである。
　引用商標３は、「ウイズ」の文字よりなるものであり、「ウイズ」の称呼を生じ、特定の観念を生じないものである。
　そこで、本願商標と上記各引用商標より生ずる称呼についてみてみると、本願商標と引用商標１、引用商標５及び引用商標８は、ともに「ウィズ」の称呼を生ずるから「ウィズ」の称呼を共通にするものである。
　また、本願商標より生ずる「ウィズ」の称呼と引用商標３より生ずる「ウイズ」の称呼とは、「ウィ」と「ウイ」の音に差異を有するものであるが、該差異音は、共に二重母音を構成するものであって、近似した音として発音、聴取されるものであるから、両称呼を一連に称呼した場合には、全体としての語調、語感が近似したものとなり、互いに聴き誤るおそれがある類似の商標と判断するのが相当である。
　してみれば、本願商標は、引用商標１、引用商標５及び引用商標８と「ウィズ」の称呼を共通にし、引用商標３とは、称呼上類似する商標であるから、本願商標と引用商標１、引用商標３、引用商標５及び引用商標８とは、外観において相違し、観念については比較することができないことを考慮してもなお、類似する相紛らわしい商標というべきである。
（２）指定商品の類否について
　本願の指定商品は、前記１のとおり、「ＰＯＳシステム用商品登録装置，その他のＰＯＳシステム用端末装置」と補正されたものであるが、これら補正後の商品は、すべてＰＯＳシステム用の商品と認められるところ、そもそもＰＯＳシステムとは、コンピュータ関連の書籍によれば、「店頭のバーコード・リーダなどで商品名を確認し、その価格をコンピュータに入力すると同時に売上データを管理するシステム。」（２００５−'０６年版　最新パソコン用語辞典　株式会社技術評論社発行）、また、「販売時点情報管理システム［解説］単に『ＰＯＳ』と書くことが多い．スーパーなどの小売店舗のレジとセンターのコンピュータとを連結させたシステムである．商品につけられたバーコードをレジのスキャナー（値札読取機）で読み取らせ，受領書と共に商品の販売が記録され，商品情報を正確に把握し，自動発注できる．さらにそれらの情報を通信回線でホストコンピュータに送り，流通を処理する総合情報処理システムも実現される．」（英和コンピュータ用語大辞典第２版　日外アソシエーツ株式会社発行）と説明されている。
　以上のことからすると、本願指定商品には、「バーコード読み取り装置、レジスター」等の端末機器が包含されるものと解されるところ、例えば「バーコード読み取り装置」については、現在、最も普及しているＣＣＤを用いた「バーコード読み取り装置」は、バーコード情報を画像として読み込み、この画像は、スキャナ内部のＣＰＵで解析することにより、画像中に含まれるバーコードを判別・読み込む仕組みとなっている。
　また、該読み取り装置は、バーコードを解析するＣＰＵ及びキーボードインターフェースを装置内部に有していることからパーソナルコンピュータへ直接接続することが可能となっている。
　ところで、「商品及び役務の区分解説〔国際分類第９版対応〕」によれば、「電子応用機械器具及びその部品」とは、「電子の作用を応用したもので、その機械器具の機能の本質的な要素としているものだけが含まれる。」と解説されている。
　そうとすると、前記構造よりなる「バーコード読み取り装置」は、電子応用機械器具の範疇に属する商品ということができる。
　してみれば、「バーコード読み取り装置」を包含する本願指定商品「ＰＯＳシステム用商品登録装置，その他のＰＯＳシステム用端末装置」と引用商標の指定商品中、「電子応用機械器具」とは互いに同一又は類似の商品と認められるから、本願指定商品と各引用商標の指定商品が非類似であるとする請求人の主張は採用することができない。
（３）まとめ
　以上のとおり、本願商標と引用商標１、引用商標３、引用商標５及び引用商標８とは類似の商標であり、かつ、本願の指定商品は、引用商標１、引用商標３、引用商標５及び引用商標８の指定商品に含まれるものであるから、本願商標が商標法第４条第１項第１１号に該当するとして本願を拒絶した原査定は、妥当であって、取り消すことはできない。 
　よって、結論のとおり審決する。